(57)【要約】【課題】サービス用インタフェースの操作性や視認性を向上させながら、保護カバー表面の部品配置スペースを有効に利用できる空気調和装置の室外ユニット１０を提供する。【解決手段】空気調和装置の室外ユニット１０は、メンテナンスカバー２３によって閉鎖されるサービス用開口部２４を有するケーシング１８と、このケーシング１８内に配置された電装品箱２９とを備える。電装品箱２９は、メンテナンスカバー２３に対して非平行に配置された保護カバー３４と、この保護カバー３４の表面に取り付けられ、サービス用開口部２４を介して外部からアクセス可能なサービス用インタフェース４０とを備え、サービス用インタフェース４０は、メンテナンスカバー２３に対してほぼ平行でサービス用開口部２４から見て正面を向くように、保護カバー３４に対して立ち上がった状態で取り付けられる。【選択図】      図３
2011237066.tif 000002
【特許請求の範囲】
【請求項１】
蓋体（２３）によって閉鎖されるサービス用開口部（２４）を有するケーシング（１８）と、このケーシング（１８）内に配置された電装品ユニット（２９）とを備えている空気調和装置の室外ユニットであって、
前記電装品ユニット（２９）は、前記蓋体（２３）に対して非平行に配置されたカバー（３４）と、このカバー（３４）の表面に取り付けられ、前記サービス用開口部（２４）を介して外部からアクセス可能なサービス用インタフェース（４０）とを備え、
前記サービス用インタフェース（４０）は、前記蓋体（２３）に対してほぼ平行でかつ前記サービス用開口部（２４）から見て正面を向くように、前記カバー（３４）に対して立ち上がった状態で取り付けられていることを特徴とする空気調和装置の室外ユニット。
【請求項２】
前記カバー（３４）の表面と、前記サービス用インタフェース（４０）の背面との間の空間（Ｓ）によって、電気配線（４３）の配置スペースが形成されている請求項１に記載の空気調和装置の室外ユニット。
【請求項３】
前記サービス用インタフェース（４０）の背面に電気配線（４３）を保持する保持部（４４）が設けられている請求項１又は２に記載の空気調和装置の室外ユニット。
【発明の詳細な説明】
【技術分野】
【０００１】
本発明は、空気調和装置の室外ユニットに関する。
【背景技術】
【０００２】
一般に、空気調和装置の室外ユニットは、熱交換器とファンとをケーシング内に備えており、熱交換器内を流れる冷媒と、ファンによってケーシング内に取り入れた空気との間で熱交換を行っている。また、ケーシング内には、冷媒を圧縮する圧縮機や、ファンや圧縮機を動作制御するための制御基板等を内蔵した電装品箱も設けられている。
【０００３】
また、下記の特許文献１に記載された室外ユニットでは、ケーシング内が仕切り板によって熱交換室と機械室とに左右に区画されており、熱交換室に熱交換器及びファンが配置されるとともに、機械室に圧縮機及び電装品箱が配置されている。
機械室に配置された電装品箱は、その背面側が仕切り板に取り付けられると共に、前面側に保護カバーを備えている。この保護カバーの表面には、リアクタ等の高発熱部品や端子台が設けられている。また、保護カバーの表面には、電装品箱から引き出されたハーネス（電気配線）や、サービス用（メンテナンス用）のプリント基板が配置される場合もある。このサービス用プリント基板は、例えば、室外ユニットの各種設定や試運転等を行うためのスイッチや、異常時に点灯するＬＥＤ等を備えている。
【０００４】
機械室の前方に位置するケーシングの前壁は、取り外し可能なメンテナンスカバーとされ、このメンテナンスカバーを取り外すことによって機械室内のメンテナンス、特にサービス用プリント基板が設けられている場合には、このサービス用プリント基板へのアクセスが可能とされる。
【先行技術文献】
【特許文献】
【０００５】
【特許文献１】特開２００９−１８６０９１号公報
【発明の概要】
【発明が解決しようとする課題】
【０００６】
特許文献１に記載の室外ユニットは、仕切り板が、ケーシングの前壁から後壁へ向かうに従って機械室側へ湾曲状に傾斜して設けられている。そのため、仕切り板に取り付けられた電装品箱についても、ケーシングの前壁に対して傾斜した姿勢に配置され、この電装品箱の保護カバーに取り付けられたサービス用プリント基板も必然的に斜めに傾斜した姿勢となる。しかし、メンテナンスを行う作業員は、メンテナンスカバーを取り外して室外ユニットの正面（前面）から作業を行うため、サービス用プリント基板が傾斜していることによって操作性や視認性が悪化する可能性がある。
【０００７】
また、室外ユニットの仕様変更等のため、保護カバーの表面に取り付けたリアクタ等の電気部品を大型化したり、電気部品を増設したりする場合があるが、保護カバーの表面スペースには限りがあるため、電気部品の配置スペースを確保するのが困難であった。また、保護カバーの表面に配置されたハーネスは、熱影響を避けるためにリアクタ等の高発熱部品から離して配置することが求められるため、保護カバーの表面上に単に電気部品の配置スペースを確保するだけでなく、これらの相対位置関係にも十分に配慮する必要がある。
【０００８】
本発明は、以上のような実情に鑑みてなされたものであり、サービス用インタフェースの操作性や視認性を向上させながら、カバーの表面スペースを有効に利用することができる空気調和装置の室外ユニットを提供することを目的とする。
【課題を解決するための手段】
【０００９】
本発明に係る空気調和装置の室外ユニットは、蓋体によって閉鎖されるサービス用開口部を有するケーシングと、このケーシング内に配置された電装品ユニットとを備えている空気調和装置の室外ユニットであって、
前記電装品ユニットは、前記蓋体に対して非平行に配置されたカバーと、このカバーの表面に取り付けられ、前記サービス用開口部を介して外部からアクセス可能なサービス用インタフェースとを備え、
前記サービス用インタフェースは、前記蓋体に対してほぼ平行で、前記サービス用開口部から見て正面を向くように、前記カバーに対して立ち上がった状態で取り付けられていることを特徴とする。
【００１０】
このような構成によって、サービス用開口部からのサービス用インタフェースの操作性や視認性が向上する。また、サービス用インタフェースは、カバーに対して立ち上がった状態で取り付けられているので、カバーの表面上に占めるサービス用インタフェースの配置スペースを小さくすることができ、その分、他の部品の配置スペースを広くして、部品の増設等にも対応することが可能となる。
【００１１】
上記構成において、前記カバーの表面と、前記サービス用インタフェースの背面との間の空間によって、電気配線の配置スペースが形成されていることが好ましい。
このような構成によって、サービス用インタフェースの背面側のスペースを有効に利用することができ、カバー表面上の他のスペースをより広く有効に活用することができる。
【００１２】
上記構成において、前記サービス用インタフェースは、その背面に電気配線を保持する保持部を備えていてもよい。
このような構成によって、サービス用インタフェースの背面とカバーの表面との間の空間に電気配線を容易に配置することができる。また、サービス用インタフェースを保持部材として用いることで部品点数減及び構造簡素化を図ることができる。
【発明の効果】
【００１３】
本発明によれば、サービス用インタフェースの操作性や視認性を向上させながら、カバーの表面スペースを有効に利用することができる。
【図面の簡単な説明】
【００１４】
【図１】本発明の実施の形態に係る空気調和装置の概略構成図である。
【図２】図１に示される空気調和装置の室外ユニットを示す斜視図である。
【図３】室外ユニット内部の構造を示す平面図である。
【図４】室外ユニット内部の構造を示す斜視図である。
【図５】電装品箱の斜視図である。
【図６】保護カバーの一部とサービス用インタフェースとを拡大して示す平面断面図である。
【図７】他の実施の形態における保護カバーの一部とサービス用インタフェースとを示す平面断面図である。
【発明を実施するための形態】
【００１５】
以下、図面を参照して本発明の実施の形態を詳細に説明する。
《空気調和装置の全体構成》
図１は、本発明の実施の形態に係る空気調和装置の概略構成図である。
空気調和装置１は、いわゆるセパレートタイプの空気調和装置であり、主として、室外ユニット１０と、室内ユニット５０と、室外ユニット１０と室内ユニット５０とを接続する冷媒連絡配管５１とを備えている。
【００１６】
室内ユニット５０には、室内熱交換器５２と送風機５９とが設けられている。この室内熱交換器５２は、例えば、伝熱管と多数のフィンとにより構成されたクロスフィン式のフィン・アンド・チューブ型熱交換器からなり、冷房運転時には冷媒の蒸発器として機能して室内空気を冷却し、暖房運転時には冷媒の凝縮器として機能して室内空気を加熱する。送風機５９は、室内熱交換器５２へ流れる空気流を生成し、空気と冷媒の熱交換を促進する。
【００１７】
室外ユニット１０は、圧縮機２８と、四路切換弁５３と、室外熱交換器３１と、送風機３２と、膨張弁５４と、閉鎖弁５５と、アキュムレータ５６とを有している。圧縮機２８の吸入口と四路切換弁５３とは、吸入管５７によって接続され、その間には、アキュムレータ５６が設けられている。アキュムレータ５６は、冷媒回路内を循環する低圧冷媒を一時的に溜めるための液溜容器である。
【００１８】
圧縮機２８の吐出口と四路切換弁５３とは、吐出管５８によって接続されている。圧縮機２８は、吸入管５７から低圧のガス状冷媒を吸入し、圧縮して高圧のガス状冷媒とした後に吐出管５８に吐出する機能を有する。
【００１９】
室外熱交換器３１は、伝熱管と多数のフィンとにより構成されたクロスフィン式のフィ
ン・アンド・チューブ型熱交換器からなり、冷房運転時には冷媒の凝縮器として機能し、暖房運転時には冷媒の蒸発器として機能する。送風機３２は、室外熱交換器３１へ流れる空気流を生成し、空気と冷媒の熱交換を促進する。
【００２０】
膨張弁５４は、室外熱交換器３１と室内熱交換器５２との間の冷媒連絡配管５１に設けられている。膨張弁５４は、冷房運転時には室外熱交換器３１において凝縮された高圧の液状冷媒を室内熱交換器５２に送る前に減圧し、暖房運転時には室内熱交換器５２において凝縮された高圧の液状冷媒を室外熱交換器３１に送る前に減圧する。
【００２１】
四路切換弁５３は、冷房運転と暖房運転との切換時に、冷媒の流れの方向を切り換える
ための弁である。具体的に、冷房運転時には、四路切換弁５３を実線のように切り換えることによって、冷媒を実線矢印で示す方向に流す。これにより、圧縮機２８から吐出された冷媒を室外熱交換器３１に供給し、膨張弁５４を通過した冷媒を室内熱交換器５２に供給する。また、暖房運転時には、四路切換弁５３を点線のように切り換えることによって冷媒の流れを点線矢印のように反転させ、これによって圧縮機２８から吐出された冷媒を室内熱交換器５２に供給し、膨張弁５４を通過した冷媒を室外熱交換器３１に供給する。
【００２２】
《室外ユニットの構成》
図２は、本発明の実施の形態に係る空気調和装置の室外ユニット１０を示す斜視図である。また、図３は、室外ユニット１０内部の構造を示す平面図、図４は同斜視図である。なお、図３及び図４においては、図１に示す室外ユニット１０の構成のうち室外熱交換器３１、ファン３２、及び圧縮機２８を示している。
【００２３】
室外ユニット１０は、いわゆるトランク型の室外ユニットとして構成されており、前後壁１２，１３、左右側壁１４，１５、天井壁１６、及び底壁１７を有する直方体状のケーシング１８を備えている。前壁１２における左側の部位には吹出口２０が形成され、この吹出口２０には吹出グリル２１が被せられている。
前壁１２における右側の部位は、取り外し可能なメンテナンスカバー（蓋体）２３とされている。そして、このメンテナンスカバー２３を取り外すことによってケーシング１８の前面右側には開口部（サービス用開口部）２４が形成され、この開口部２４を介してケーシング１８の内部を露出し、メンテナンス等を行うことが可能となっている。なお、メンテナンスカバー２３の右端部は後方へ屈曲し、右側壁１５の前部側の一部も構成している。
【００２４】
ケーシング１８の後壁１３及び左側壁１４には、外気をケーシング１８内に吸い込み可能な吸込口２５（図３参照）が形成されている。また、底壁１７の下面には、現地据付箇所に固定される２つの固定脚１９が設けられている。
【００２５】
図３に示すように、ケーシング１８の内部は仕切り板２７によって機械室Ｓ１と熱交換室Ｓ２とに仕切られている。具体的に、図示例では、仕切り板２７の右側が機械室Ｓ１とされ、仕切り板２７の左側が熱交換室Ｓ２とされている。仕切り板２７は、前壁１２と後壁１３とを繋ぐように設けられており、上から見て機械室Ｓ１側が凹となる湾曲状に形成されている。また、仕切り板２７は、後部側が機械室Ｓ１側（右側）へ傾くように配置されている。
【００２６】
機械室Ｓ１には、圧縮機２８、電装品箱（電装品ユニット）２９等が配設されている。そして、前述のメンテナンスカバー２３を取り外すことによってサービス用の開口部２４から機械室Ｓ１内にアクセスすることが可能である。
一方、熱交換室Ｓ２には室外熱交換器３１と送風機３２とベルマウス３３が配設されている。また、この熱交換室Ｓ２の前側に位置する前壁１２には吹出口２０が開口している。
【００２７】
室外熱交換器３１は、吸込口２５が形成されたケーシング１８の後壁１３と左側壁１４の内側に沿うように平面視で略Ｌ字状に形成されている。送風機３２は、ケーシング１８の前壁１２に形成された吹出口２０に対応する部位に配置され、吸込口２５から熱交換室Ｓ２内に外気を吸引した後、吹出口２０から吹き出すように構成されている。
【００２８】
《電装品箱２９の構成》
図３及び図４に示すように、電装品箱２９は、仕切り板２７における機械室Ｓ１側の側面上部に取り付けられている。この電装品箱２９には、圧縮機２８や送風機３２等の各種機器の運転を制御するためのマイコンを実装した制御基板や、インバータ式の圧縮機２８を制御するインバータ基板等の電気部品が設けられている。また、この電装品箱２９は、電気部品を前方から覆って保護するための保護カバー３４を備えている。
【００２９】
図５は、電装品箱２９を拡大して示す斜視図である。
保護カバー３４は、電装品箱２９の前面（表面）を構成する縦板部３５と、この縦板部３５の上端部から水平方向に延びる天板部３６と、縦板部３５の左右両端部から側方に延出される側板部３７とを有する。
【００３０】
縦板部３５の表面の上部側には、発熱部品であるリアクタ３８が２個並設されている。また、縦板部３５の下部側には端子台３９が設けられている。
縦板部３５の表面の左端部（前端部）には、サービス用インタフェース４０が設けられている。このサービス用インタフェース４０は、室外ユニット１０の各種設定や試運転等を行うためのスイッチや、異常時に点灯するＬＥＤ等が設けられたプリント基板からなり、室外ユニット１０の設置時やメンテナンス時等に、サービス用開口部２４（図３参照）を介して使用（操作、確認）することができる。
【００３１】
前述のように、ケーシング１８内を機械室Ｓ１と熱交換室Ｓ２とに区画する仕切り板２７は、後部側が機械室Ｓ１側へ傾くように配置されているので（図３、図４参照）、この仕切り板２７に取り付けられている電装品箱２９の保護カバー３４の表面（縦板部３５の表面）も、ケーシング１８の前壁１２に対して傾斜して配置されている。
【００３２】
これに対してサービス用インタフェース４０は、縦板部３５の表面に沿って配置されるのではなく、左端部が縦板部３５の表面に取り付けられ、右端部側が縦板部３５の表面から浮き上がっている。すなわち、サービス用インタフェース４０は、縦板部３５に対して立ち上がった状態で取り付けられている。そして、サービス用インタフェース４０の前面（操作面、表示面）は、ケーシング１８の前壁１２の一部であるメンテナンスカバー２３の前面とほぼ平行となる姿勢に配置されている。そのため、メンテナンスカバー２３を取り外したとき、サービス用インタフェース４０は、サービス用開口部２４から見て正面を向くように配置される。
【００３３】
したがって、室外ユニット１０のメンテナンス等を行う作業員は、サービス用開口部２４を介してサービス用インタフェース４０を正面から操作したり確認したりすることができ、サービス用インタフェース４０の操作性や視認性を向上させることができる。
【００３４】
また、サービス用インタフェース４０は、縦板部３５の表面に対して立ち上がった状態で取り付けられているので、当該表面上に占めるサービス用インタフェース４０の配置スペースを小さくすることができ、その分、リアクタ３８等の他の部品の配置スペースを広く確保することができる。そのため、例えば、室外ユニット１０の仕様変更のために、保護カバー３４の表面に部品を増設したり、部品を大型化したりすることも容易に実現可能となる。
【００３５】
図６は、保護カバー３４の一部とサービス用インタフェース４０とを拡大して示す平面断面図である。
サービス用インタフェース４０は、保護カバー３４の縦板部３５の表面に対して斜めに立ち上がった状態で取り付けられているため、サービス用インタフェース４０の背面と保護カバー３４の表面との間には空間Ｓが存在する（図６に点線のハッチングで示す）。そして、本実施の形態では、電装品箱２９から引き出されたハーネス（電気配線）４３を空間Ｓに通すことによって、当該空間Ｓをハーネス４３用の配置スペースとして利用している。また、空間Ｓに配置されたハーネス４３を保持するため、サービス用インタフェース４０の背面には、ハーネス４３を保持するための保持具（保持部）４４が一体的に設けられている。
【００３６】
したがって、本実施の形態では、サービス用インタフェース４０の背面と保護カバー３４の縦板部３５との間のデッドスペースを有効に利用することができる。また、サービス用インタフェース４０に隣接して配置されるリアクタ３８とハーネス４３との距離を十分にとることができ、リアクタ３８の熱によってハーネス４３が悪影響を受けるのを防止することができる。そして、保持具４４によってハーネス４３を保持することで空間Ｓ内にハーネス４３を容易に配置することができる。また、サービス用インタフェース４０に一体的に保持具４４を設けることによって、別途ハーネス４３を保持する部材を設けなくてもよく、部品点数減及び構造の簡素化を図ることができる。
【００３７】
本発明は、上記実施の形態に限定されるものではなく、特許請求の範囲に記載された発明の範囲内で適宜設計変更することができる。
例えば、上記実施の形態においては、ハーネス４３がサービス用インタフェース４０の保持具４４によって保持されているが、ハーネス４３は、空間Ｓ内に配置されていればよく、例えば、他の実施形態に係る図７に示すように、保護カバー３４の縦板部３５の表面に結束具４６等を介してハーネス４３を保持していてもよい。
【００３８】
また、上記実施の形態においては、ケーシング１８の前壁１２に対して保護カバー３４の縦板部３５が傾斜して配置されているが、直交状に配置されていてもよい。この場合、保護カバー３４の縦板部３５の表面に対してサービス用インタフェース４０を直交状に立ち上げた状態で取り付けることによって、当該サービス用インタフェース４０をサービス用開口部２４から見て正面を向くように配置することができる。
【符号の説明】
【００３９】
１０：  室外ユニット
１８：  ケーシング
２３：  メンテナンスカバー（蓋体）
２４：  サービス用開口部
２７：  仕切り板
２９：  電装品箱（電装品ユニット）
３４：  保護カバー
３８：  リアクタ
４０：  サービス用インタフェース
４３：  ハーネス（電気配線）
４４：  保持具
【図１】
2011237066.tif 000003
【図２】
2011237066.tif 000004
【図３】
2011237066.tif 000005
【図４】
2011237066.tif 000006
【図５】
2011237066.tif 000007
【図６】
2011237066.tif 000008
【図７】
2011237066.tif 000009